(57)【要約】【課題】バルーンガイドカテーテルシステムを提供すること。【解決手段】バルーンガイドカテーテルシステムであって、（ｉ）主ルーメンと、（ｉｉ）膨張ルーメンと、（ｉｉｉ）排気ルーメンと、を含む、カテーテルシャフトを有するバルーンガイドカテーテルを含む、バルーンガイドカテーテルシステム。膨張ルーメンの終端遠位端及び排気ルーメンの終端遠位端は、非膨張状態にある間に、バルーンの下で互いに局所的に流体連通している。バルーンは、カテーテルシャフトの外側表面の遠位領域の周りに配置されている。排気ルーメンは、残留空気を近位方向にパージし、バルーンガイドカテーテルの近位領域から外にパージするように構成されている。【選択図】図１Ａ
2020185386.tif 000002
【特許請求の範囲】
【請求項１】
バルーンガイドカテーテルシステムであって、
バルーンガイドカテーテルであって、
近位端及び反対側の遠位端を有するカテーテルシャフトであって、前記カテーテルシャフトが、（ｉ）前記カテーテルシャフトを通して軸方向に画定された主ルーメンと、（ｉｉ）前記カテーテルシャフトに沿って軸方向に延在する膨張ルーメンであって、近位端及び反対側の終端遠位端を有する、膨張ルーメンと、（ｉｉｉ）前記カテーテルシャフトに沿って軸方向に延在し、近位端及び反対側の終端遠位端を有する、排気ルーメンと、を含み、前記膨張ルーメンの前記終端遠位端及び前記排気ルーメンの前記終端遠位端が、非膨張状態にある間に、前記バルーンの下で互いに局所的に流体連通している、カテーテルシャフトと、
前記カテーテルシャフトの外側表面の遠位領域の周りに配置されているバルーンと、を備える、バルーンガイドカテーテルを備え、
前記排気ルーメンが、近位方向において、かつ前記バルーンガイドカテーテルの近位領域から外に、残留空気をパージするように構成されている、バルーンガイドカテーテルシステム。
【請求項２】
前記カテーテルシャフトが、前記バルーンの下に位置する、中に画定された第１の局所的流体連通チャネルを有する外側表面を有し、前記第１の局所的流体連通チャネルを介して、それぞれの前記膨張ルーメン及び排気ルーメンの前記終端遠位端が、互いに局所的に流体連通している、請求項１に記載のバルーンガイドカテーテルシステム。
【請求項３】
前記カテーテルシャフトが、前記外側表面に画定された第２の局所的流体連通チャネルを有し、前記第１及び第２の局所的流体連通チャネルが、互いから分離されており、前記膨張ルーメンの前記終端遠位端が、前記第１の局所的流体連通チャネルと一致し、前記排気ルーメンの前記終端遠位端が、前記第２の局所的流体連通チャネルと一致する、請求項２に記載のバルーンガイドカテーテルシステム。
【請求項４】
前記膨張ルーメン及び排気ルーメンが、互いから所定の距離で半径方向に分離されている、請求項１に記載のバルーンガイドカテーテルシステム。
【請求項５】
前記排気ルーメンが、前記膨張ルーメン内に配置されている、請求項１に記載のバルーンガイドカテーテルシステム。
【請求項６】
前記第１及び第２の局所的流体連通チャネルと一致する前記カテーテルシャフトの外側表面の領域が、前記膨張ルーメンと前記排気ルーメンとの間の流体の流れを促進するための表面プロファイルを有する、請求項３に記載のバルーンガイドカテーテルシステム。
【請求項７】
前記バルーンが、前記表面プロファイルを有する前記カテーテルシャフトの前記外側表面の領域を完全に封入する、請求項６に記載のバルーンガイドカテーテルシステム。
【請求項８】
前記表面プロファイルが、前記カテーテルシャフトの前記外側表面に取設されたメッシュのエンボス加工である、請求項７に記載のバルーンガイドカテーテルシステム。
【請求項９】
前記排気ルーメンが、前記主ルーメンに対して偏心的に配設されている、請求項１に記載のバルーンガイドカテーテルシステム。
【請求項１０】
前記排気ルーメンが、前記膨張ルーメンの半径方向内側、前記膨張ルーメンの半径方向外側、又は前記膨張ルーメン内に配置されている、請求項９に記載のバルーンガイドカテーテルシステム。
【請求項１１】
外周を有するポリマージャケットを更に備え、前記ポリマージャケットの前記外周が、前記カテーテルシャフトの外側表面に取り付けられ、前記ポリマージャケットと前記カテーテル本体の前記外側表面との間の容積を画定し、前記排気ルーメンの前記終端遠位端が、前記容積と流体連通している、請求項１０に記載のバルーンガイドカテーテルシステム。
【請求項１２】
前記排気ルーメンが、前記膨張ルーメンを越える、請求項１０に記載のバルーンガイドカテーテルシステム。
【請求項１３】
前記カテーテルシャフトの前記近位端に接続されたハブを更に備え、前記ハブが、
前記膨張ルーメンと流体連通している膨張ポートと、
前記排気ルーメンと流体連通している排気ポートと、
前記膨張ポート及び前記排気ポートを接続するブリッジ流体連通チャネルと、
前記排気ポート内に配置された膜であって、そこを通る空気のみの通過を可能にするようにサイズ決定された、その中に画定された開口部を有する、膜と、
前記排気ポート内に前記膜の遠位に配置された弁であって、（ｉ）空気が、前記膜を通って、かつ前記排気ポートから外へ通過することが可能となる開放状態と、（ｉｉ）前記排気ルーメンからの膨張媒体が、前記ブリッジ流体連通チャネルを通して、かつ前記膨張ルーメン内へと方向転換される閉鎖状態との間で移行可能である、弁と、を備える、請求項１に記載のバルーンガイドカテーテルシステム。
【発明の詳細な説明】
【技術分野】
【０００１】
（関連出願の相互参照）
本願は、以下：２０１９年５月９日に出願された米国特許仮出願第６２／８４５，６８３号、２０１９年５月９日に出願された米国仮特許出願第６２／８４５，６９９号、２０１９年５月９日に出願された米国仮特許出願第６２／８４５，７１１号、及び２０１９年５月９日に出願された米国仮特許出願第６２／８４５，７４７号の利益を主張するものであり、これら仮特許出願のそれぞれは参照によりその全体が本明細書に組み込まれる。
【０００２】
（発明の分野）
本発明は、血管内医療システムに関する。特に、本発明は、近位方向に残留空気を通気する、改善されたバルーンカテーテルを対象とする。
【背景技術】
【０００３】
バルーンカテーテルは、様々な血管内医療手技又は治療に関連して、広く使用されている。典型的には、圧力下の流体又は液体は、バルーンを膨張させるためにカテーテルの膨張ルーメン内に注入される。身体内に導入される前に、バルーンカテーテルは、膨張ルーメン及びバルーンから残留空気を適切にパージするために、正確に多段階プロセスに従って医師又は介入医によって準備処置される。具体的には、膨張ルーメンからの空気のパージは、バルーンの漏出又は破裂の場合に、空気塞栓が血管系に入ることを防止する。更に、残留空気はまた、バルーン内の圧縮された未知の容積の残留空気に起因して、そうでなければ不正確であり得る所望の容積の膨張媒体を使用してバルーンの膨張を確実にするために、バルーン自体からパージされる。
【０００４】
身体内への導入前にバルーンカテーテルから残留空気をパージするための１つの一般的な技術は、注射器又は真空を使用して、膨張ルーメンの近位端に真空又は負圧を適用し、膨張ルーメンを通して可能な限り近位に可能な限り多くの空気を引き出すことによってである。次いで、弁（例えば、三方向ルアー弁）を介して、注射器真空を閉鎖し、膨張ルーメンを真空下で開放して、弁を通して、膨張媒体をバルーン内に分配することを可能にする。膨張媒体の注入中、バルーンは、好ましくは、下向きの傾きで垂直に保持されて、空気が排気することを促進し、カテーテル内の残留空気が膨張媒体を通して膨張ポートに向かって上昇することを可能にする。膨張媒体及びいくつかの気泡がカテーテルから抜去され、追加の膨張媒体が再び注入される。これらの工程が、残留空気のカテーテルを適切にパージするために複数回繰り返されなければならず、相当量の調製時間を必要とすることは珍しいことではない。各繰り返しでは、これらの工程は、正確に従われなければならない。
【０００５】
血管造影バルーンカテーテルシステムでは、デバイスは、膨張ルーメン及びバルーンからの残留空気が近位ではなく遠位通気孔を介して排気されるように構成されている。
【０００６】
準備処置工程は多数であり、時間がかかるため、医師及び介入医は、デバイスを完全に使用することから抑制され得る。デバイスを使用する医師又は介入医は、適切な準備処置工程の後に意図せずに省略するか、又は潜在的な健康リスクを患者にもたらすバルーンカテーテルを身体内に導入した後に不適切に省略し得る。
【発明の概要】
【発明が解決しようとする課題】
【０００７】
したがって、改善されたバルーンカテーテル、及びそのような改善されたバルーンカテーテルを使用して、近位方向に残留空気を通気すると共に、それと関連付けられた工程を最小限に抑え、それによってデバイスの使用を促進する方法を設計することが望ましい。
【課題を解決するための手段】
【０００８】
本発明の一態様は、近位方向に残留空気を通気する、改善されたバルーンカテーテルに関する。
【０００９】
本発明の別の態様は、バルーンガイドカテーテルを含むバルーンガイドカテーテルシステムを対象とする。バルーンガイドカテーテルは、近位端及び反対側の遠位端を有するカテーテルシャフトを有し、カテーテルシャフトは、（ｉ）カテーテルシャフトを通して軸方向に画定された主ルーメンと、（ｉｉ）カテーテルシャフトに沿って軸方向に延在する膨張ルーメンであって、近位端及び反対側の終端遠位端を有する膨張ルーメンと、（ｉｉｉ）カテーテルシャフトに沿って軸方向に延在し、近位端及び反対側の終端遠位端を有する排気ルーメンと、を含む。膨張ルーメンの終端遠位端及び排気ルーメンの終端遠位端は、非膨張状態にある間に、バルーンの下で互いに局所的に流体連通している。加えて、バルーンガイドカテーテルは、カテーテルシャフトの外側表面の遠位領域の周りに配置されたバルーンであって、排気ルーメンが、残留空気を近位方向にパージし、バルーンガイドカテーテルの近位領域から外にパージするように構成されている、バルーン、を更に含む。
【００１０】
本発明の更に別の態様は、前段落で記載されたバルーンガイドカテーテルを使用するための方法を対象とする。本方法は、カテーテルシャフトの近位端に接続されたハブの膨張ポートを通して、膨張ルーメン内に膨張媒体を分配する工程を含む。膨張媒体は、分配された膨張媒体によって押された膨張ルーメンを通して遠位に前進され、排気ルーメンを通して、残留空気を近位に排気させ、膨張ルーメンの終端遠位端から吐出する。残留空気は、膜を通して排出され、膜を通して残留空気のみを通過させ、バルーンガイドカテーテルの近位領域から外に通過させる。
【図面の簡単な説明】
【００１１】
本発明の上記及びその他の特徴は、本発明を例示する以下の発明を実施するための形態及び図面からより容易に明らかになるものであり、幾つかの図面全体にわたり類似の参照番号は類似の要素を示す。
【図１Ａ】本発明によるバルーンカテーテルの斜視図である。
【図１Ｂ】膨張ルーメンと排気ルーメンとの間の流体連通を促進する、バルーンの下方のメッシュ表面プロファイルを描写する、図１Ａのバルーンカテーテルのバルーン部分の破線正方形領域１Ｂの拡大図である。
【図２Ａ】ハブの排気ポートに取設された一方向弁を有する、図１Ａのバルーンカテーテルの代替的なハブ部分構成（破線正方形領域ＩＩ）である。
【図２Ｂ】ハブの排気ポートとして機能するパージ肺を有する、図１Ａのバルーンカテーテルの更に別のハブ部分構成（破線正方形領域ＩＩ）である。
【図３Ａ】図１Ｂの線ＩＩＩ−ＩＩＩに沿った本発明のバルーンカテーテルにおける排気ルーメン及び膨張ルーメンの異なる例示的な構成の半径方向断面図を描写する。
【図３Ｂ】図１Ｂの線ＩＩＩ−ＩＩＩに沿った本発明のバルーンカテーテルにおける排気ルーメン及び膨張ルーメンの異なる例示的な構成の半径方向断面図を描写する。
【図３Ｃ】図１Ｂの線ＩＩＩ−ＩＩＩに沿った本発明のバルーンカテーテルにおける排気ルーメン及び膨張ルーメンの異なる例示的な構成の半径方向断面図を描写する。
【図３Ｄ】図１Ｂの線ＩＩＩ−ＩＩＩに沿った本発明のバルーンカテーテルにおける排気ルーメン及び膨張ルーメンの異なる例示的な構成の半径方向断面図を描写する。
【図４Ａ】カテーテルシャフトの外側表面に対してぴんと張って収縮状態にあるバルーンを有する本発明のカテーテルの遠位端の部分軸方向断面図であり、それぞれの膨張ルーメン及び排気ルーメンの終端遠位端は、カテーテルシャフトの外壁内で画定された単一のＤ字形状の局所的流体連通チャネル内で一致している。
【図４Ｂ】図４Ａのカテーテルの上面図である。
【図４Ｃ】線ＩＶ（Ｃ）−ＩＶ（Ｃ）に沿った図４Ａの局所的流体連通チャネルを通る半径方向断面図である。
【図４Ｄ】局所的流体連通チャネルを通る代替的な例示的な半径方向断面図であり、カテーテルシャフトの外壁内で画定された単一の局所的流体連通チャネル内で一致するそれぞれの膨張ルーメン及び排気ルーメンの終端遠位端の異なる配設を示す。
【図４Ｅ】局所的流体連通チャネルを通る代替的な例示的な半径方向断面図であり、カテーテルシャフトの外壁内で画定された単一の局所的流体連通チャネル内で一致するそれぞれの膨張ルーメン及び排気ルーメンの終端遠位端の異なる配設を示す。
【図４Ｆ】局所的流体連通チャネルを通る代替的な例示的な半径方向断面図であり、カテーテルシャフトの外壁内で画定された単一の局所的流体連通チャネル内で一致するそれぞれの膨張ルーメン及び排気ルーメンの終端遠位端の異なる配設を示す。
【図４Ｇ】バルーンが収縮（非膨張）状態にある、本発明のカテーテルの遠位端の上面図であり、それぞれの膨張ルーメン及び排気ルーメンの終端遠位端は、カテーテルシャフトの外壁、及びカテーテルシャフトの外側表面の一部分の周りに配置された表面プロファイル内で画定された、単一の局所的流体連通チャネル内で一致している。
【図４Ｈ】バルーンが収縮（非膨張）状態にある、本発明のカテーテルの遠位端の上面図であり、それぞれの膨張ルーメン及び排気ルーメンの終端遠位端は、膨張ルーメンの終端遠位端が第１の局所的流体連通チャネルと一致する一方で、排気ルーメンの終端遠位端が、第１の局所的流体連通チャネルから軸方向に離間した第２の局所的流体連通チャネルと一致するように、互いに対して千鳥に配列されている。
【図４Ｉ】バルーンを有しないカテーテルシャフトの軸区分の部分上面図であり、局所的流体連通チャネルは、穿穴（例えば、楕円形、円形など）であり、膨張ルーメンは、穿穴の中に軸方向に部分的に延在する。
【図４Ｊ】バルーンを有しないカテーテルシャフトの軸区分の部分上面図であり、局所的流体連通チャネルは、穿穴（例えば、楕円形、円形など）であり、膨張ルーメンは、穿穴との境界面で終端している。
【図４Ｋ】線ＩＶ（Ｋ）−ＩＶ（Ｋ）に沿った図４Ｉの局所的流体連通チャネルを通る半径方向断面図であり、カテーテルシャフトの外壁内で画定された単一の局所的流体連通チャネル内に一致する膨張ルーメンを示す。
【図４Ｌ】バルーンを有しないカテーテルシャフトの軸区分の部分上面図であり、局所的流体連通チャネルは、穿穴（例えば、楕円形、円形など）であり、膨張ルーメン及び排気ルーメンのそれぞれの終端は、穿穴との境界面で終端している。
【図５】身体の血管内の標的部位に前進した本発明のバルーンカテーテルの斜視図である。
【図６Ａ】収縮状態（非膨張状態）における本発明のバルーンカテーテルの例示的な構成の遠位端の部分軸方向断面図であり、膨張ルーメンは、同心円状に配設され、排気ルーメンは、主／ガイドワイヤルーメンのそれに対して偏心して配設される。
【図６Ｂ】線ＶＩ（Ｂ）−ＶＩ（Ｂ）に沿った図６Ａのバルーンカテーテルの半径方向断面図である。
【図６Ｃ】バルーンが膨張状態にある間の、図６Ａのバルーンカテーテルの遠位端の部分軸方向断面図である。
【図６Ｄ】バルーンが除去された、図６Ａのバルーンカテーテルの一部分の上面図であり、カテーテルシャフト内の入口ポート及び出口ポートの配設を描写する。
【図７Ａ】バルーンが収縮（非膨張）状態にある、本発明のバルーンカテーテルの別の例示的な構成の遠位端の部分軸方向断面図であり、膨張ルーメンは、同心円状に配設され、排気ルーメンは、主／ガイドワイヤルーメンのそれに対して偏心して配設される。
【図７Ｂ】線ＶＩＩＢ−ＶＩＩＢに沿った図７Ａのバルーンカテーテルの半径方向断面図である。
【図７Ｃ】バルーンが膨張状態にある間の、図７Ａのバルーンカテーテルの遠位端の部分軸方向断面図である。
【図８Ａ】バルーンが収縮（非膨張）状態にある、本発明のバルーンカテーテルの更に別の例示的な構成の遠位端の部分軸方向断面図であり、膨張ルーメンは、同心円状に配設され、排気ルーメンは、主／ガイドワイヤルーメンのそれに対して偏心して配設され、排気ルーメンは、膨張ルーメン内に配設され、膨張ルーメンの一部分を通して軸方向に延在する。
【図８Ｂ】線ＶＩＩＩ（Ｂ）−ＶＩＩＩ（Ｂ）に沿った図８Ａのバルーンカテーテルの半径方向断面図である。
【図８Ｃ】バルーンが膨張状態にある間の、図８Ａのバルーンカテーテルの遠位端の部分軸方向断面図である。
【図９Ａ】バルーンが収縮（非膨張）状態にある、本発明のバルーンカテーテルのまた別の例示的な構成の遠位端の部分軸方向断面図であり、膨張ルーメンは、同心円状に配設され、２つの排気ルーメンは、主／ガイドルーメンのそれに対して偏心して配設され、排気ルーメンは、排気ルーメンの半径方向内側にあるものと交差する。
【図９Ｂ】線ＩＸ（Ｂ）−ＩＸ（Ｂ）に沿った図９Ａのバルーンカテーテルの半径方向断面図である。
【図９Ｃ】バルーンが膨張状態にある間の、図９Ａのバルーンカテーテルの遠位端の部分軸方向断面図である。
【図１０Ａ】バルーンを有しない本発明のバルーンガイドカテーテルの更に別の態様の斜視図である。
【図１０Ｂ】線Ｘ（Ｂ）−Ｘ（Ｂ）に沿った図１０Ａのバルーンガイドカテーテルの半径方向断面図である。
【図１１Ａ】弁がカテーテルからの残留空気のパージ中、及びバルーンの膨張中に開放状態に位置付けられているときの、図１０Ａのハブの軸方向断面図である。
【図１１Ｂ】弁がバルーンの収縮中に閉鎖状態に位置付けられているときの、図１０Ａのハブの軸方向断面図である。
【発明を実施するための形態】
【００１２】
「遠位」又は「近位」という用語は、以下の説明において、治療医師若しくは医療介入医に対する位置又は方向に関して使用される。「遠位」又は「遠位に」とは、医師若しくは介入医から離れた位置又は離れる方向である。「近位」又は「近位に」又は「近接した」とは、医師若しくは医療介入医に近い位置又は向かう方向である。「閉塞」、「凝塊」、又は「閉鎖」という用語は、区別なく使用される。
【００１３】
本発明のバルーンカテーテルは、そこを通してガイドワイヤを受容する主ルーメンに対して半径方向外側にカテーテルの外壁に配設された複数のルーメンを有する。具体的には、少なくとも１つの膨張ルーメン及び少なくとも１つの排気／通気ルーメンが存在し、それぞれは、ハブからバルーンまでカテーテルの外壁内で軸方向に延在する。膨張ルーメン及び排気／通気ルーメンのそれぞれの遠位端は、互いに局所的に流体連通している。デバイスの主ルーメンの直径寸法は、ガイドワイヤ（複数可）（例えば、０．０１４インチ、０．０１８インチ、０．０３５インチ、及び０．０３８インチのガイドワイヤ）のための導管、並びに、例えば、手技中に、マイクロカテーテル、機械的血栓切除デバイス、診断カテーテル、及び中間カテーテル／吸引カテーテルなどの補助デバイスとして機能するのに十分である。好ましくは、主ルーメンは、およそ０．０８８インチの直径を有する。
【００１４】
特定の構成にかかわらず、本発明のバルーンカテーテルは、バルーンカテーテルから近位方向に残留空気をパージ、排気、又は通気する。
【００１５】
図１Ａに描写される本発明のバルーンカテーテル１００の斜視図を参照すると、カテーテルは、近位端１０５及び反対側の遠位端１１０を有する。ハブ１３０は、バルーンカテーテル１００の近位端１０５に近接して固定されている。図１Ａに示される第１の構成では、ハブ１３０は、ガイドワイヤ９０又は補助デバイスをその中に受容するための主／ガイドワイヤポート１４０を含む。注射器又は他の分配機構（注射器５３６が図５に示されている）からバルーンカテーテル１００内に導入される膨張媒体（例えば、好ましくは、５０％対照生理食塩水溶液）をその中で受容するために、離れた膨張媒体ポート１３５もまたハブ１３０内に提供される。図１Ａに示す構成では、ハブ１３０は排気ポート又は通気ポートを有しない。むしろ、残留空気は、カテーテルシャフトの近位端に近接する、しかし、ハブ１３０の遠位にある、排気ルーメンの外側表面に画定されたアパーチャを介して通気又は排気される。収縮（非膨張）状態にある間、バルーン１１５は、カテーテルシャフトの周りに緊密に嵌合して、収縮したバルーンとカテーテルシャフトとの間に残留空気が存在することを妨げる。膨張ルーメン１２５及び排気ルーメン１２０の両方の遠位終端は、バルーン１１５の下方に一致し、膨張ルーメン内の比較的低い容積の残留空気が排気ルーメンに効果的に連通するように、互いに近接して配設される。進行中の膨張媒体は、排気ルーメンを後方に前進するのではなく、バルーン領域内に流れる最小の抵抗の経路に従う。
【００１６】
近位端１０５から開始してバルーンカテーテル１００を通して軸方向又は長手方向に配設されるのは、少なくとも３つの離れた、別個の、独立したルーメン、すなわち、主／ガイドワイヤルーメン１２３、排気ルーメン１２０、及び膨張ルーメン１２５である。排気ルーメン１２０及び膨張ルーメン１２５は、主／ガイドワイヤルーメン１２３に対して半径方向外側に配設される。加えて、主／ガイドワイヤルーメン１２３は、近位端１０５から反対側の遠位端１１０まで延在する一方で、排気ルーメン１２０及び膨張ルーメン１２５のそれぞれの終端遠位端は、図１Ｂのカテーテルの遠位端の拡大部分図から明らかに見えるように、バルーン１１５の下方で終端している（バルーンと一致する）。
【００１７】
好ましくは、微多孔膜又はフィルタ１２１は、排気ルーメン１２０の終端遠位端に近接している。微多孔膜の孔は、そこを通るガス（例えば、残留空気）の通過のみを可能にするようにサイズ決めされ、膨張ルーメンを通して分配される液体（膨張媒体）は、微多孔膜を通って浸透することが防止され、バルーン内の容積が膨張媒体を充填したときに、膨張ルーメン内の圧力が、バルーンを増大及び膨張させることを可能にする。好ましくは、微多孔膜は、焼結ポリテトラフルオロエチレン（polytetrafluoroethylene、ＰＴＦＥ）の特定の等級（多孔性及び厚さに基づく）であり、例えば、膨張ポリテトラフルオロエチレン（ｅＰＴＦＥ）は、そこを通る空気分子の通過を可能にするが、水及び造影剤などのより高い凝集性分子に対する障壁として作用する。このような微多孔膜はまた、排気ルーメンの空気閉塞及びカテーテルの不適切な動作を防止し得る。
【００１８】
図２Ａは、排気ポート１３７（近位方向にパージされた残留空気がバルーンカテーテル１００から吐出する）、並びに前述の膨張ポート１３５及び主／ガイドワイヤポート１４０を含むハブ１３０’の代替的な構成である。異なる補助デバイスは、排気ポート１３７に接続可能である。図２Ａに描写される例示的な一実施形態では、一方向弁１４５は、排気ポート１３７に接続されて、バルーンカテーテルからの残留空気の排出を制御し得る。代替的な構成が図２Ｂに示されており、排気ポート１３７は、膨張可能な肺、容器、又は嚢１５０によって置き換えられて、バルーンカテーテルから近位にパージされた残留空気をその中に貯蔵する。
【００１９】
本発明のバルーンカテーテルの操作において、膨張媒体（好ましくは、５０％対照生理食塩水溶液）は、ハブの膨張ポートに取設された注射器又は他の分配デバイスを使用してカテーテル内に導入される。膨張媒体は、膨張ルーメンを通して、収縮したバルーン内へと移動する。バルーンと排気ルーメンとの境界面に位置する微多孔膜は、そこを通る膨張媒体の通過を禁止するようにサイズ決めされた孔を有し、残留空気のみがバルーンから排気ルーメンを通過することを可能にする。バルーンが膨張媒体で充填すると、バルーンは膨張する。バルーンの膨張と一致すると、バルーン内部の圧力が増加して、バルーン内の残留空気が排気ルーメンを通して近位方向に自動的に排気又は通気される。ハブでは、バルーンカテーテルから吐出する残留空気は、封止可能な一方向排気弁を使用して制御され得、及び／又はパージされた残留空気は、膨張可能な（inflatable）又は膨張可能な（expandable）パージ肺内に貯蔵され、それによってシステムから残留空気を除去し、それをハブ内の本体の外側に貯蔵する（それが圧縮可能であることを利用することによって）ことができる。
【００２０】
非限定的な例として、それぞれがバルーンカテーテル１００内の主ルーメンから半径方向外側に配設された１つ以上の排気ルーメン及び１つ以上の膨張ルーメンの多数の構成が示され、記載される。残留空気が、カテーテルから遠位方向ではなく、近位方向に排気ルーメンを通して排気される異なる構成の中で、追加の構成が可能であり、共通の特徴を有する本発明の意図される範囲内である。バルーンカテーテル内の排気ルーメン及び膨張ルーメンのいくつかの例示的な設計、並びに互いに対するそれらの配設が、図３Ａ〜３Ｄに示されている。図３Ａでは、膨張ルーメン１２５Ａは、曲率半径が主／ガイドワイヤルーメン１２３Ａと共通の中心（同軸状、同心円状）を共有する湾曲セグメント半径方向断面を有する。円形の半径方向断面を有する２つの排気ルーメン１２０Ａは、膨張ルーメン１２５Ａ内で可能な限り互いに半径方向に変位して図示されているが、任意の数の１つ以上の排気ルーメンが、所望に応じて提供され得、膨張ルーメン１２５Ａ内の排気ルーメン（複数可）１２０Ａの位置又は間隔が提供され得る。図３Ｂは、代替的な構成であり、排気ルーメン１２０Ｂ及び膨張ルーメン１２５Ｂのそれぞれは、曲率半径が主／ガイドワイヤルーメン１２３Ｂと共通の中心（同軸状、同心円状）を共有する湾曲セグメント半径方向断面を有する。更に別の構成が図３Ｃに描写されている。図３Ａと同様に、図３Ｃの膨張ルーメン１２５Ｃは、曲率半径が主／ガイドワイヤルーメン１２３Ｃと共通の中心（同軸状、同心円状）を共有する湾曲セグメント半径方向断面を有する。しかしながら、この特定の設計では、単一の排気ルーメン１２０Ｃは、膨張ルーメン１２５Ｃ（図３Ａのように膨張ルーメン内に配置されていない）とは離れており、別個であり、かつ独立している。一方、更に別の可能な構成が図３Ｄに示されている。図３Ｂのものと同様に、図３Ｄの排気ルーメン１２０Ｄ及び膨張ルーメン１２５Ｄのそれぞれは、それぞれ、曲率半径が主／ガイドワイヤルーメン１２３Ａと共通の中心（同軸状、同心円状）を共有する湾曲セグメント半径方向断面を有する。図３Ｄは、排気ルーメン１２０Ｄ及び膨張ルーメン１２５Ｄがそれぞれ、互いからおよそ１８０度半径方向に分離された（互いの鏡像）に配設されている点で、図３Ｂとは異なる。別の実施形態では、湾曲した膨張ルーメン及び排気ルーメンは、「Ｄ」字形状であり得、又は主／ガイドワイヤルーメンのものよりも小さい／大きい半径若しくは曲率を有し得る。これらは、カテーテル内の主、排気、及び膨張ルーメンの異なる配設の非限定的な例示的な例に過ぎない。
【００２１】
図４Ａは、バルーン４１５と一致する排気ルーメン４２０及び膨張ルーメン４２５のそれぞれの遠位端の例示的な部分軸方向断面図であり、バルーンは、収縮（非膨張）状態で示されている。局所的流体連通チャネル、窪み、又は凹部４７５は、チャネルがバルーン４１５の下方／下にある（と一致する）限り、バルーン（例えば、バルーンの近位領域、バルーンの中間領域、バルーンの遠位領域）と一致する軸方向の任意の場所の位置において、カテーテルシャフトの外壁内に画定されている。図４Ｂの上面図から明らかに見えるように、局所的流体連通チャネル４７５は、Ｄ字形状であり得るが、しかしながら、他の幾何学的形状（例えば、円形、楕円形など）が想到される。それぞれの膨張ルーメン４２５及び排気／通気ルーメン４２０の終端遠位端の間の流体連通は、この局所的流体連通チャネル４７５内で生じる。図４Ｂでは、それぞれの排気ルーメン及び膨張ルーメンの終端遠位端は、局所的流体連通チャネル４７５内に部分的に延在する。あるいは、それぞれの排気ルーメン及び膨張ルーメンの終端遠位端は、局所的連通チャネル４７５の外周又は境界面と一致し得る。図４Ｃは、図４Ａの線ＩＶ（Ｃ）−ＩＶ（Ｃ）に沿った局所的流体連通チャネル４７５を通る半径方向断面図であり、それぞれの膨張ルーメン４２５及び排気ルーメン４２０の終端遠位端の並列構成を描写する。収縮（非膨張）状態にある間、バルーン４１５は、図４Ａに示されるように、カテーテルシャフトの外側表面の周りにぴんと張っている。結果として、最小の抵抗の経路に続いて、加圧された注入膨張媒体によって膨張ルーメン４２５を通して前進した残留空気は、バルーン４１５を膨張させることなく、排気ルーメン４２０を通してカテーテルから近位に排出される。
【００２２】
主／ガイドワイヤルーメン４２３から半径方向外側にある局所的流体連通チャネル４７５内の、それぞれの排気ルーメン及び膨張ルーメンの終端遠位端の代替的な配設又は構成が、図４Ｄ〜図４Ｆの異なる半径方向断面図に描写されている。それぞれ別々に焦点を当てると、図４Ｄでは、膨張ルーメン４２５及び排気ルーメン４２０は、互いに並んで物理的に接触し、内径及び外径の両方において等しい。図４Ｅはまた、局所的流体連通チャネル４７５内で互いに物理的に接触している２つのルーメンを有する並列配設を示しているが、しかしながら、ルーメンは内径及び外径の両方で異なる。具体的には、膨張ルーメン４２５の外径は、排気ルーメン４２０の外径よりも小さいが、膨張ルーメン４２５の内径は、排気ルーメン４２０の内径よりも大きい。好ましくは、排気ルーメンは、残留空気を排気するようにだけ機能するので、膨張ルーメンの内径は、排気ルーメンの内径よりも大きい。図４Ｆの配設では、膨張ルーメン４２５及び排気ルーメン４２０は、局所的流体連通チャネル４７５内で互いに物理的に接触して並列に配置される。膨張ルーメン及び排気ルーメンの外径は、直径が等しいが、膨張ルーメン４２５の内径は、排気ルーメン４２０の内径よりも大きい。チャネル内の排気ルーメン及び膨張ルーメンのこれらの配設の任意の組み合わせ又は順列、並びに各ルーメンの内径及び外径のサイズは、本発明の範囲内である。
【００２３】
図４Ｇは、それぞれの排気ルーメン及び膨張ルーメンの遠位終端が単一の局所的流体連通チャネル内に一致する、シャフト内に画定された単一の局所的流体連通チャネルを有する、本発明のバルーンカテーテルの更に別の構成の部分遠位区分の上面図である。カテーテルシャフトの外周の一部分の周りに配置されるのは、局所的流体連通チャネル４７５と一致する表面プロファイル４８０であり、膨張ルーメン４２５から排気ルーメン４２０への流体の流れを促進する。好ましくは、表面プロファイル４８０は、カテーテルシャフトの外側表面の周りに巻き付けられたポリマー、金属、及び／又は他の材料で作製されたメッシュである。バルーンは、表面プロファイル４８０を完全に覆うか又は包囲するように軸方向に延在する。単一の局所的流体連通チャネル４７５を通る半径方向断面プロファイルは、図４Ｃに示されるものと同様であろうが、所望に応じて、図４Ｄ〜４Ｆに示されるものなどの異なる配設が可能である。
【００２４】
図４Ｈは、更に別の構成の上面図であり、膨張ルーメン４２５の終端遠位端が、第１の局所的流体連通チャネル４７５’と一致する一方で、排気ルーメン４２０の終端遠位端は、第１の局所的流体連通チャネル４７５’から軸方向に離れて変位した第２の局所的流体連通チャネル４７５”と一致する。この配設では、表面プロファイル４８０は、第１及び第２の局所的流体連通チャネル４７５’、４７５”の両方と一致する。再び、表面プロファイル４８０は、膨張ルーメンと排気ルーメンとの間の流体連通を促進し、これは、第１及び第２の局所的流体連通チャネル４７５’、４７５”が、カテーテルシャフトに沿って互いから軸方向に変位されるこの配設で、特に適用可能である。
【００２５】
図４Ｉ及び４Ｊに示されるカテーテルシャフトの区分（バルーンを有しない）の上面図は、カテーテルシャフトの外側表面に画定された穿穴（例えば、楕円形、円形など）としての第１の局所的流体連通チャネルを示す。膨張ルーメン４２５の終端遠位端は、図４Ｉの穿穴４７５内に部分的に延在するが、図４Ｊでは、膨張ルーメン４２５の終端遠位端は、穿穴４７５の境界面と位置合わせされ、すなわち、膨張ルーメンの終端遠位端は、穿穴の中に延在しない。線ＩＶ（Ｋ）−ＩＶ（Ｋ）に沿った図４Ｉの第１の局所的流体連通チャネル４７５を通る半径方向断面図が、図４Ｋに示されている。図４Ｋの第１の局所的流体連通チャネル４７５内の膨張ルーメン４２５の位置は、左側にあるが、しかしながら、その位置は、所望に応じて、第１の局所的流体連通チャネル４７５内の任意の場所（例えば、チャネル内の途中、チャネル内の右側など）に選択され得る。前述したように、それぞれの膨張ルーメン及び排気ルーメンの終端遠位端は、図４Ｌに示されるように、単一の局所的流体連通チャネルとして機能するカテーテルシャフトの外側表面に画定された単一の穿孔の境界面と位置合わせされ（一致し）得る。
【００２６】
図５は、バルーン５１５が動脈５５０内の標的部位で膨張状態にある、本発明のバルーンカテーテル５００を示す。注射器５３６又は他の注入デバイスは、膨張ルーメン内に膨張媒体（例えば、５０／５０対照／生理食塩水溶液）を導入するために、図５の膨張ポート５３５に接続される。一方向弁又は手動弁５４５は、カテーテルからの残留空気のパージを制御するために、排気ポート５３７に接続されている。主／ガイドワイヤポート又は開口部５４０はまた、その中にガイドワイヤ９０を受容するためにハブ５３０内に提供される。
【００２７】
図６Ａは、バルーン６１５が収縮（非膨張）状態にある、本発明によるバルーンカテーテル６００の別の例示的な構成の遠位端の部分軸方向断面図である。膨張ルーメン６２５及び排気ルーメン６２０はそれぞれ、カテーテルシャフト又は本体内で軸方向に並んで延在する２つの離れたチャネル又は通路である。膨張ルーメン６２５は、カテーテルシャフトに沿った任意の場所で外側表面に画定され、膨張媒体が通過するバルーン６１５と流体連通している、少なくとも１つの入口ポート、開口部、又はチャネル６３０（図６Ａに示される２つ）で終端している。一方、残留空気は、出口ポート、開口部、又はチャネル６３５を通して、カテーテルシャフト内に画定された排気ルーメン６２０内に排気される。補強部材、好ましくは金属ワイヤ、好ましくはＳＳ３０４等級などの０．００１インチ〜０．００３インチのステンレス鋼ワイヤ（コイル、編組、又はその両方に作製されたもの）は、カテーテルシャフトの一部分に沿って、主ルーメン６２３と膨張ルーメン６２５との間に提供されて、血管のナビゲーション中に補助するためにカテーテルの遠位領域の剛性を増強し得る。補強部材は、好ましくは、軟質の可撓性ポリマー材料中に埋め込まれて、カテーテルルーメンの楕円化、脱出、及びよじれを防止する。
【００２８】
図６Ａでは、補強部材は、カテーテルシャフトの近位領域の周りに配置された編組６４０であり、その後、カテーテルシャフトの遠位領域に沿って配置されたコイル６４０’によって遠位に配置される。あるいは、編組又はコイルのみのどちらかが補強部材として機能し得る。補助デバイスが主ルーメンを通して挿入されるときの摩擦を最小限に抑えるために、好ましくは、ポリテトラフルオロエチレン（ＰＴＦＥ）で作製されたインナーライナーが提供され得る。更に、脈管構造を通して前進する間にカテーテルの軸方向への捻れを最小限に抑えるために、補強内側シース又はスリーブ６４５は、補強部材の半径方向内側の主ルーメン６２３と膨張ルーメン６２５との間に提供され得る。好ましくは、入口開口部６３０は、軸方向に遠位に、出口開口部６３５のそれに対して配置される。図６Ｂの半径方向断面図に示されるように、膨張ルーメン６２５は、同心円状に（同軸状に）配設されている一方で、排気ルーメン６２０は、主ルーメン６２３に対して偏心的に配設されている。図６Ｃは、入口開口部６３０及び出口開口部６３５がそれぞれバルーン６１５と流体連通している状態で、バルーン６１５が膨張状態にある、カテーテル６００を描写する。バルーンを有しないカテーテルシャフトの上面図（図６Ｄ）は、入口開口部６３０及び出口開口部６３５の配設を示す。再び、任意の数の１つ以上の入口ポート及び１つ以上の出口ポートは、カテーテルシャフトに沿ったそれらのポートの配設と共に、所望に応じて変動され得る。
【００２９】
図７Ａは、本発明によるバルーンカテーテル７００の更に別の例示的な構成の遠位端の部分縦断面図である。再び、膨張ルーメン７２５は、同心円状シャフト間の主ルーメン７２３の半径方向外側に配置される（図７Ｂ参照）。排気ルーメン７２０は、カテーテルシャフトの外側表面の周りに薄いポリマージャケット７１６を接合、溶接、取り付け、又は取設することによって生成され、排気ルーメン７２０として機能する通路又は空間をそれらの間に生成する。膨張媒体は、膨張ルーメン７２５を通して、入口開口部７３０からバルーン７１５内へと移動する。残留空気は、カテーテルシャフトの外側表面に沿って移動し、出口開口部７３５に入り、カテーテルシャフトの外側表面に取り付けられたポリマージャケット７１６によって生成された排気ルーメン７２０を通して入る。入口ポート７３０と出口ポート７３５との間の軸方向距離Ｄは、好ましくは、膨張ルーメンと排気ルーメンとの間の排出された残留空気の連通を補助するために最小化される。外側シャフトの外側表面に取り付けられた比較的薄いポリマージャケットによって生成された比較的大きな排気ルーメンは、排気ルーメンが開放されたときに、準備処置時間の短縮及び優れた収縮時間の利点を提供する。前述の構成と同様に、補強構造体、例えば、編組７４０、コイル７４０’及び／又は内側シース７４５を用いて、増強した剛性をカテーテルに提供し得る。
【００３０】
図８Ａは、本発明によるバルーンカテーテル８００の更に別の例示的な構成の遠位端の部分軸方向断面図である。この設計は、膨張ルーメン８２５が主ルーメン８２３に対して同心円状に配設されているという点で、図６Ａの設計と同様である。しかしながら、軸方向に延在する排気ルーメン８２０は、図８Ｂに示されるように、カテーテル本体の内側シャフトと外側シャフトとの間の膨張ルーメン８２５内に完全に配置された独立した隔離ルーメンである。再び、入口開口部８３０は、バルーン８１５と流体連通している一方で、出口開口部８３５は、外側シャフト内に画定され、バルーン８１５と排気ルーメン８２０との間の直接連通を提供する。拡大された内径は、より大きな外径を有する広範囲の補助デバイスを収容することができるこのバルーンカテーテル設計の利点である。全ての異なる構成と同様に、補強構造体、例えば、編組８４０、コイル８４０’、及び／又は内側シース８４５を用いて、増強した剛性をカテーテルに提供し得る。
【００３１】
本発明によるバルーンカテーテル９００の更に別の例示的な構成は、図９Ａのカテーテルの遠位端の部分軸方向断面図によって表される。膨張ルーメン９２５は、主ルーメン９２３に対して同心円状に配設されている一方で、２つの排気ルーメン９２０のそれぞれは、主ルーメン９２３に対して偏心的に配設されている。前の実施形態（図６Ａ、６Ｂ、７Ａ、及び７Ｂ）では、膨張ルーメンは、カテーテル本体を備える内側シャフトと外側シャフトとの間に配置された。図９Ａの設計では、排気ルーメン９２０は、主ルーメン９２３と膨張ルーメン９２５との間で半径方向に内側カテーテルシャフト内に配置される。図９Ｂの縦断面図から明らかなように、排気ルーメン９２０は、膨張ルーメン９２５を横断する（流体連通することなく交差する）。図９Ｂは、内側シャフト内に配置され、膨張ルーメン９２５の半径方向内側に配置された２つの排気ルーメン９２０が明確に示されている、線ＩＸ（Ｂ）−ＩＸ（Ｂ）に沿ったカテーテルの半径方向断面図である。図９Ｃは、膨張状態にある間の、図９Ａのカテーテルを描写する。
【００３２】
図６Ｂ、図７Ｂ、８Ｂ、及び９Ｂに示される異なる例示的な構成のそれぞれにおいて、膨張ルーメンは、同心円状（同軸状）である一方で、排気ルーメンは、主／ガイドワイヤルーメンに対して偏心している。
【００３３】
図１０Ａは、主ルーメン１０２３とは別に、カテーテルシャフトの外壁に画定された二重ルーメン（１つの膨張ルーメン１０２５及び１つの排気ルーメン１０２０）を有する本発明のバルーンガイドカテーテルの更に別の構成の斜視図である。それぞれの膨張ルーメン１０２５及び排気ルーメン１０２３の遠位端は、局所的流体連通チャネル、凹部、又は窪み１０７５と一致する。局所的流体連通チャネル１０７５は、それぞれの膨張ルーメン及び排気ルーメンの終端遠位端が互いに流体連通している場所である。図１０Ａに示されていないバルーンは、局所的流体連通チャネル１０７５を覆うカテーテルシャフトの遠位領域の外側表面の周りにぴんと張っているか、又はぴったり合っている。主ルーメン１０２３から半径方向外側に外側シャフトの外壁内に配置された半径方向区分膨張ルーメン１０２５及び排気ルーメン１０２０の並列軸方向配設が、図１０Ｂに示されている。１つ以上の膨張ルーメン及び１つ以上の排気ルーメンの異なる配設は、例えば、図３Ａ〜３Ｄに描写されるものであるが、これらに限定されないものなどが可能である。近位ハブ１０３０は、バルーンガイドカテーテルの近位端に接続される。ハブ１０３０は、主／ガイドワイヤポート１０４０、膨張ポート１０３５、及び排気／通気ポート１０４５を含む。弁１０９５は、排気ポート１０４５に配置される。
【００３４】
図１１Ａは、三方向弁１０９５が、膨張ポート１０４０（図５に示されるものと同様の注射器５３６を介して）内に注入された膨張媒体（例えば、５０／５０対照／生理食塩水溶液）を用いてバルーンの膨張のために配向又は配置されている、図１０Ａのハブ１０３０の断面軸方向図である。膨張ポート１０４０内に注入された膨張媒体は、カテーテルシャフトの外壁内の膨張開口部１０２６に入り、膨張ルーメン１０２５を充填する。膨張媒体が局所的流体連通チャネルに到達すると、それは排気ルーメン１０２０に入り、それを通して近位に移動して、通気開口部１０２７からハブ１０３０内へと吐出する。膨張媒体が注射器から圧力下で分配され、カテーテル残留空気を通して膨張ルーメン内から移動し、バルーンは、カテーテルから近位に通気、パージ、又は排気される。排気ポート１０４５の遠位に配置された弁１０９５は、開放状態で図１１Ａにおいて配向されているか、又は位置付けられており、これにより、弁を通る残留空気の流れを可能にし、次いで、これは、微多孔膜又はフィルタ１０２１を介して排気ポート１０４５から出る。微多孔膜又はフィルタ１０２１の孔又は開口部は、そこを通して残留空気を通過させる一方で、そこを通して膨張媒体を通過させることを禁止又は防止するようにサイズ決めされる。残留空気がカテーテルから完全にパージされると、膨張媒体の任意の追加の流れ、又は注射器によって適用される圧力の増加により、バルーンが膨張する。バルーンの膨張を開始するためにカテーテル内で増大又は生成された十分な圧力を伴わずに、残留空気の完全な通気が生じるように、膨張媒体の流量は維持される。
【００３５】
バルーンの下の局所的流体連通チャネル１０７５は、両方のルーメン（排気ルーメン１０２０及び膨張ルーメン１０２５）が、残留空気及び膨張媒体が膨張ルーメンの終端遠位端から排気ルーメンの終端遠位端内へ流れることを可能にするように設計されている。
【００３６】
バルーンの収縮は、カテーテル内に負圧を生成する膨張ポート１０４０に真空（例えば、注射器）を取設することによって達成される。バルーンを収縮させるための時間であるとき、弁１０９５は、排気ポート１０４５への流れを閉鎖するように配向される。カテーテル内に負圧を生成する膨張ポート１０４０に取設された真空又は吸引（例えば、注射器）を適用すると、排気ルーメンから排気された膨張媒体は、ブリッジ流体連通チャネル１０９０内に再方向付けされ、膨張ルーメンを通して通気され膨張ポート１０４０から出る膨張媒体と組み合わされる。この固有のハブ構成、特に、膨張ポートへの真空の適用時に排気ポート１０４５を閉鎖するための収縮中の弁の配向又は位置付けは、膨張ルーメン及び排気ルーメンの両方を通して同時の膨張媒体の除去を提供し、それによってバルーンの収縮を最適化する。
【００３７】
好ましくは、製造コストを最小限に抑え、かつ他のカテーテルが通過するハブの使用不可能な長さを最小限に抑えるために、ハブ１０３０の構成は、その全体的な軸方向長さを最小限に抑えることによって最適化される。また、膨張ポート１０４０に適用された吸引又は真空の導入時に自動的に作動されるバネ荷重又はボール弁と三方法手動弁１０９５を置き換えることも企図される。
【００３８】
本発明のバルーンカテーテルからの残留空気の排気は、従来のデバイスよりも複雑ではなく、達成するのにより少ない時間を要する。本発明によれば、空気は、バルーンカテーテルから近位方向に自動的にパージされる。具体的には、本発明のバルーンカテーテルの調製は、排気ルーメンを介してシステムから近位方向にパージ、排出、又は排気されている残留空気と一致する膨張ルーメンを通して膨張媒体が通過して開始し、調製時間を短縮する。更に、残留空気は、近位方向に通気されるので、カテーテルが身体内に導入された後に、パージ空気に関連付けられた安全性の懸念が解消されている。
【００３９】
本発明の閉鎖ループ近位通気システムは、いくつかの利点を有する。残留空気は、デバイスが患者内にある間に、介入医によってデバイスの近位方向の調製に通気されるため、発生し得る。本発明の閉鎖ループ近位設計の別の利点は、膨張媒体が、微多孔膜を通して排気ルーメン外から外へ残留空気／ガスを自動的に排出する一方で、膨張媒体が微多孔膜を通過し、それによってバルーンが膨張（ｉｎｆｌａｔｅおよびｅｘｐａｎｄ）することを防止することである。したがって、本発明によれば、残留空気がパージされた後にバルーンを膨張させるための弁又は他の機械的デバイスの必要性が排除されている。
【００４０】
以上、本発明の好ましい実施形態に適用されるような本発明の基本的な新規特徴を示し、記載し、かつ指摘してきたが、当業者であれば、例示されたシステム／デバイスの形態及び詳細、並びにそれらの操作における様々な省略、置換、及び変更を、本発明の趣旨及び範囲から逸脱することなく実施し得ることが理解されよう。例えば、同じ結果を達成するために、実質的に同じ機能を実質的に同じやり方で実行して同じ結果を達成する構成要素及び／又は工程の組み合わせは全て、本発明の範囲内に包含されるように明らかに意図される。また、上述のある実施形態から別の実施形態への構成要素の置き換えも、完全に意図及び想定の範囲内である。また、図面は必ずしも一定の比例尺で描かれておらず、あくまでも概念的なものに過ぎない点も理解されるべきである。したがって、本発明は、添付の特許請求の範囲に示される内容によってのみ限定されるものとする。
【００４１】
本明細書に引用された全ての発行済み特許、係属中の特許出願、刊行物、論文、書籍、又は他の参照文献はいずれも、その全体が本明細書に援用によって組み込まれる。
【００４２】
〔実施の態様〕
（１）  バルーンガイドカテーテルシステムであって、
バルーンガイドカテーテルであって、
近位端及び反対側の遠位端を有するカテーテルシャフトであって、前記カテーテルシャフトが、（ｉ）前記カテーテルシャフトを通して軸方向に画定された主ルーメンと、（ｉｉ）前記カテーテルシャフトに沿って軸方向に延在する膨張ルーメンであって、近位端及び反対側の終端遠位端を有する、膨張ルーメンと、（ｉｉｉ）前記カテーテルシャフトに沿って軸方向に延在し、近位端及び反対側の終端遠位端を有する、排気ルーメンと、を含み、前記膨張ルーメンの前記終端遠位端及び前記排気ルーメンの前記終端遠位端が、非膨張状態にある間に、前記バルーンの下で互いに局所的に流体連通している、カテーテルシャフトと、
前記カテーテルシャフトの外側表面の遠位領域の周りに配置されているバルーンと、を備える、バルーンガイドカテーテルを備え、
前記排気ルーメンが、近位方向において、かつ前記バルーンガイドカテーテルの近位領域から外に、残留空気をパージするように構成されている、バルーンガイドカテーテルシステム。
（２）  前記カテーテルシャフトが、前記バルーンの下に位置する、中に画定された第１の局所的流体連通チャネルを有する外側表面を有し、前記第１の局所的流体連通チャネルを介して、それぞれの前記膨張ルーメン及び排気ルーメンの前記終端遠位端が、互いに局所的に流体連通している、実施態様１に記載のバルーンガイドカテーテルシステム。
（３）  前記カテーテルシャフトが、前記外側表面に画定された第２の局所的流体連通チャネルを有し、前記第１及び第２の局所的流体連通チャネルが、互いから分離されており、前記膨張ルーメンの前記終端遠位端が、前記第１の局所的流体連通チャネルと一致し、前記排気ルーメンの前記終端遠位端が、前記第２の局所的流体連通チャネルと一致する、実施態様２に記載のバルーンガイドカテーテルシステム。
（４）  前記膨張ルーメン及び排気ルーメンが、互いから所定の距離で半径方向に分離されている、実施態様１に記載のバルーンガイドカテーテルシステム。
（５）  前記排気ルーメンが、前記膨張ルーメン内に配置されている、実施態様１に記載のバルーンガイドカテーテルシステム。
【００４３】
（６）  前記第１及び第２の局所的流体連通チャネルと一致する前記カテーテルシャフトの外側表面の領域が、前記膨張ルーメンと前記排気ルーメンとの間の流体の流れを促進するための表面プロファイルを有する、実施態様３に記載のバルーンガイドカテーテルシステム。
（７）  前記バルーンが、前記表面プロファイルを有する前記カテーテルシャフトの前記外側表面の領域を完全に封入する、実施態様６に記載のバルーンガイドカテーテルシステム。
（８）  前記表面プロファイルが、前記カテーテルシャフトの前記外側表面に取設されたメッシュのエンボス加工である、実施態様７に記載のバルーンガイドカテーテルシステム。
（９）  前記排気ルーメンが、前記主ルーメンに対して偏心的に配設されている、実施態様１に記載のバルーンガイドカテーテルシステム。
（１０）  前記排気ルーメンが、前記膨張ルーメンの半径方向内側、前記膨張ルーメンの半径方向外側、又は前記膨張ルーメン内に配置されている、実施態様９に記載のバルーンガイドカテーテルシステム。
【００４４】
（１１）  外周を有するポリマージャケットを更に備え、前記ポリマージャケットの前記外周が、前記カテーテルシャフトの外側表面に取り付けられ、前記ポリマージャケットと前記カテーテル本体の前記外側表面との間の容積を画定し、前記排気ルーメンの前記終端遠位端が、前記容積と流体連通している、実施態様１０に記載のバルーンガイドカテーテルシステム。
（１２）  前記排気ルーメンが、前記膨張ルーメンを越える、実施態様１０に記載のバルーンガイドカテーテルシステム。
（１３）  前記カテーテルシャフトの前記近位端に接続されたハブを更に備え、前記ハブが、
前記膨張ルーメンと流体連通している膨張ポートと、
前記排気ルーメンと流体連通している排気ポートと、
前記膨張ポート及び前記排気ポートを接続するブリッジ流体連通チャネルと、
前記排気ポート内に配置された膜であって、そこを通る空気のみの通過を可能にするようにサイズ決定された、その中に画定された開口部を有する、膜と、
前記排気ポート内に前記膜の遠位に配置された弁であって、（ｉ）空気が、前記膜を通って、かつ前記排気ポートから外へ通過することが可能となる開放状態と、（ｉｉ）前記排気ルーメンからの膨張媒体が、前記ブリッジ流体連通チャネルを通して、かつ前記膨張ルーメン内へと方向転換される閉鎖状態との間で移行可能である、弁と、を備える、実施態様１に記載のバルーンガイドカテーテルシステム。
（１４）  近位端及び反対側の遠位端を有するカテーテルシャフトを有する、バルーンガイドカテーテルを含む、バルーンガイドカテーテルシステムを使用するための方法であって、前記カテーテルシャフトが、（ｉ）前記カテーテルシャフトを通して軸方向に画定された主ルーメンと、（ｉｉ）前記カテーテルシャフトに沿って軸方向に延在する膨張ルーメンであって、近位端、反対側の終端遠位端を有し、前記主ルーメンに対して半径方向外向きかつ同心円状に配置されている、膨張ルーメンと、（ｉｉｉ）前記カテーテルシャフトに沿って軸方向に延在する排気ルーメンであって、近位端及び反対側の終端遠位端を有する、排気ルーメンと、を含み、前記膨張ルーメンの前記終端遠位端及び前記排気ルーメンの前記終端遠位端が、非膨張状態にある間に、前記バルーンの下で互いに流体連通しており、前記バルーンガイドカテーテルが、前記カテーテルシャフトの外側表面の遠位領域の周りに配置されたバルーンを更に含み、前記排気ルーメンが、近位方向に、かつ前記バルーンガイドカテーテルの近位領域から外へ、残留空気をパージするように構成されており、前記方法が、
前記カテーテルシャフトの前記近位端に接続されたハブの膨張ポートを通して、前記膨張ルーメン内に膨張媒体を分配する工程と、
前記膨張ルーメンを通して、分配された前記膨張媒体によって押された前記残留空気を遠位に前進させる工程と、
前記膨張ルーメンの前記終端遠位端から吐出する前記残留空気を、前記排気ルーメンを通して近位に排気する工程と、
前記残留空気のみが、内部を通って、かつ前記バルーンガイドカテーテルの近位領域から外へ通過することを可能にする膜を通して、前記残留空気を排出する工程と、を含む、方法。
（１５）  前記排気する工程が、
前記膨張ルーメンの前記終端遠位端から吐出する前記残留空気が、非膨張状態にある間は前記カテーテルシャフトの前記外側表面に対してぴんと張って保持される前記バルーンによって被覆された局所的流体連通チャネル内に受容される工程であって、それぞれの前記膨張ルーメン及び排気ルーメンの前記終端遠位端が、前記局所的流体連通チャネルにおいて流体連通している、工程と、
吐出する前記残留空気を前記排気ルーメンの前記終端遠位端内へ受容する工程と、を含む、実施態様１４に記載の方法。
【００４５】
（１６）  前記排出する工程が、前記弁を開放状態に位置付けて、前記弁を通して、かつ排気ポートを介して前記ハブから、前記残留空気を通過させることを含む、実施態様１４に記載の方法。
（１７）  前記バルーンガイドカテーテルからの前記残留空気を完全にパージした後、前記膨張ルーメン内への前記膨張媒体の連続的な分配によって、前記バルーンを膨張状態に膨張させる工程を更に含む、実施態様１６に記載の方法。
（１８）  前記ハブの前記排気ポートを閉鎖する閉鎖状態に前記弁を位置付ける工程と、
前記ハブの前記入口ポートに真空を適用する工程と、をさらに含み、
分配された前記膨張媒体が、前記膨張ルーメン及び排気ルーメンを通して同時に近位に排出され、前記排気ルーメンを通して排出された前記膨張媒体が、前記閉鎖状態の前記弁によって方向転換されて、前記排気ルーメンを前記膨張ルーメンに接続するブリッジ流体連通チャネルを通して、かつ前記ハブの前記膨張ポートから外へ移動する、実施態様１６に記載の方法。
【図１Ａ】
2020185386.tif 000003
【図１Ｂ】
2020185386.tif 000004
【図２Ａ】
2020185386.tif 000005
【図２Ｂ】
2020185386.tif 000006
【図３Ａ】
2020185386.tif 000007
【図３Ｂ】
2020185386.tif 000008
【図３Ｃ】
2020185386.tif 000009
【図３Ｄ】
2020185386.tif 000010
【図４Ａ】
2020185386.tif 000011
【図４Ｂ】
2020185386.tif 000012
【図４Ｃ】
2020185386.tif 000013
【図４Ｄ】
2020185386.tif 000014
【図４Ｅ】
2020185386.tif 000015
【図４Ｆ】
2020185386.tif 000016
【図４Ｇ】
2020185386.tif 000017
【図４Ｈ】
2020185386.tif 000018
【図４Ｉ】
2020185386.tif 000019
【図４Ｊ】
2020185386.tif 000020
【図４Ｋ】
2020185386.tif 000021
【図４Ｌ】
2020185386.tif 000022
【図５】
2020185386.tif 000023
【図６Ａ】
2020185386.tif 000024
【図６Ｂ】
2020185386.tif 000025
【図６Ｃ】
2020185386.tif 000026
【図６Ｄ】
2020185386.tif 000027
【図７Ａ】
2020185386.tif 000028
【図７Ｂ】
2020185386.tif 000029
【図７Ｃ】
2020185386.tif 000030
【図８Ａ】
2020185386.tif 000031
【図８Ｂ】
2020185386.tif 000032
【図８Ｃ】
2020185386.tif 000033
【図９Ａ】
2020185386.tif 000034
【図９Ｂ】
2020185386.tif 000035
【図９Ｃ】
2020185386.tif 000036
【図１０Ａ】
2020185386.tif 000037
【図１０Ｂ】
2020185386.tif 000038
【図１１Ａ】
2020185386.tif 000039
【図１１Ｂ】
2020185386.tif 000040
【外国語明細書】
2020185386000001.pdf